(57)【特許請求の範囲】
【請求項１】
少なくとも一方が合成樹脂製であって両者とも外形が概ね方形をし四つの外縁を有していて略中央部には各々露光用の開口部が形成され両者間に少なくとも先羽根群，中間板，後羽根群を配置して相互に取り付けられる二つの地板を備えていて、合成樹脂製である一方の地板には前記開口部を間にして相対する二つの外縁近傍位置に各々少なくとも一つの可撓性のフック部が形成され、他方の地板には前記フック部と対応する位置に前記フック部と係合する係合部が形成され、前記二つの地板の一方には位置決めピンが設けられ他方には該位置決めピンの嵌合する孔が形成され、前記二つの地板の外縁部近傍には該二つの地板の対応する位置に各々ビスを挿通する孔を有した取付部が形成されていて、前記二つの地板をそれらの地板面に対して垂直な方向へ近づくように移動させて前記フック部と前記係合部を係合させて取り付け、前記係合により重なった前記各取付部の前記孔に前記ビスを挿通しカメラ本体に螺合することによって前記二つの地板が相対的に固定され且つ該二つの地板が該カメラ本体に固定されるようにしたことを特徴とするフォーカルプレンシャッタ。
【発明の詳細な説明】
【０００１】
【発明の属する技術分野】
本発明は、撮影に際し、先羽根群と後羽根群とを同一方向へ順次走行させ、それらによって形成されるスリットによってフィルムを露光するようにしたカメラ用のフォーカルプレンシャッタに関する。
【０００２】
【従来の技術】
一般に、この種のフォーカルプレンシャッタは、シャッタユニットとして製作され、その後、そのユニットをカメラ本体にビス等によって固定するようにしている。そこで、ユニットとして製作されるシャッタ構成の一例を図３及び図４を用いて説明する。図３は、従来例の分解斜視図であり、図４はカメラ本体へ固定する場合の一例を示す説明図である。シャッタ地板１は、外形が概ね方形をしており、四つの外縁を有している。図３においては他の構成部品に隠れているので見えないが、反対側から示した図４から分かるように、シャッタ地板１には、その略中央部に周知の露光用の開口部が形成されている。また、このシャッタ地板１には、外縁から三つの張出部１ａ，１ｂ，１ｃが形成され、張出部１ａ，１ｂには孔１ｄ，１ｅが形成されている。また、右方の外縁の近傍位置には四つの軸１ｆ，１ｇ，１ｈ，１ｉが立設されている。
【０００３】
また、シャッタ地板１の三隅には全く同じ形状の柱２，３，４が、かしめ加工によって取り付けられている。柱２，３には他の部材が取り付けられているので形状が分かり難いが、柱４から分かるように、これらの柱２，３，４は円柱状をしていて、その先端近傍には円周面に沿って環状の溝２ａ，３ａ，４ａが形成されている。更に、シャッタ地板１の残りの一つの隅には円柱状の間座５が取り付けられており、その内周には、ネジ止め用のメネジが形成されている。そして、上記の柱２，３には、周知のように、シャッタ地板１の表面側から順に、後羽根群用の押さえ板，中間板６，先羽根群用の押さえ板７が、それらに形成された孔を嵌合させている。このうち後羽根群用の押さえ板は、中間板６の背部に隠れていて見えないが、先羽根群用の押さえ板７と略同じ形状をしている。
【０００４】
上記した軸１ｆ，１ｇには先羽根群用のアーム８，９が回転可能に取り付けられ、その自由端に向けて４枚の羽根１０，１１，１２，１３が枢支されている。アーム８には長孔８ａが形成されており、また軸１ｆとの嵌合部には、軸方向の中間部に大径部を形成した円筒部材１４が、その大径部でかしめられていて、シャッタ地板１と後述する補助地板２５に対し間座の役目をしている。そして、各羽根の先端は、中間板６と先羽根群用の押さえ板７との間に挟まれている。また、これらの羽根に隠れているが、中間板６にも露光用の開口部が形成されている。他方、軸１ｈ，１ｉには後羽根群用のアーム１５，１６が回転可能に取り付けられ、４枚の羽根１７，１８，１９，２０が枢支されている。アーム１５には長孔１５ａが形成されており、また軸１ｈとの嵌合部には、軸方向の中間部に大径部を形成した円筒部材２１が、その大径部でかしめられていて、シャッタ地板１と補助地板２５に対し間座の役目をしている。そして、各羽根の先端は、中間板６と図示していない後羽根用の押さえ板の間に挟まれている。
【０００５】
シャッタ地板１の背面側には、構成が複雑であり且つ周知であるので箱型にして示したシャッタ開閉機構２２が取り付けられており、そのうち先羽根用駆動部材のピン２３が、シャッタ地板１に形成された円弧状の孔１ｊを貫通して、アーム８の長孔８ａに嵌合するようになっている。後羽根用駆動部材のピン２４も同様にしてアーム１５の長孔１５ａに嵌合するようになっているが、シャッタ地板１に形成された円弧状の孔は、アーム１５と羽根１７の背面側に隠れている。図３はシャッタのセット状態を示しているが、この状態でレリーズすると、先ず、先羽根用駆動部材のピン２３がアーム８を反時計方向へ回転させ、羽根１０，１１，１２，１３を重畳させつつ開口部を開いてゆき、次に、後羽根用駆動部材のピン２４がアーム１５を反時計方向へ回転させ、羽根１７，１８，１９，２０を展開させつつ開口部を閉じるようになっている。
【０００６】
このような各羽根群を、シャッタ地板１との間に配置し、且つ安定して作動できるようにするために、シャッタ地板１には、補助地板２５が取り付けられるようになっている。この補助地板２５は、外形がシャッタ地板１と概ね同じであって、露光用の開口部２５ａ、瓢箪型の二つの孔２５ｂ，２５ｃ、挿入端部２５ｄ、円形の孔２５ｅ、切欠き孔２５ｆ，２５ｇ、円弧状の孔２５ｈ，２５ｉを有している。このうち開口部２５ａは、長方形をしていないが、シャッタ地板１と中間板６に形成されている図示していない開口部を重ね合わせたとき、三者によってフィルムサイズに対応した長方形の露光開口が形成されるようになっている。また、円弧状の孔２５ｈ，２５ｉは、上記した各駆動部材のピン２３，２４に対する逃げ孔である。
【０００７】
このような補助地板２５をシャッタ地板１に取り付けるには、先ず、瓢箪型の孔２５ｂ，２５ｃの大径部を柱２，３に嵌合させる。また、その状態では補助地板２５を環状の溝２ａ，３ａ内で水平に移動させることが可能なので、その動きを利用して、挿入端部２５ｄを柱４の溝４ａの一部に横（左）方向から挿入する。次に、補助地板２５を、図３の右方向へ移動させる。そして、切り欠き孔２５ｆ，２５ｇを軸１ｇ，１ｉに嵌合させていく。その後、孔２５ｅに、ビス２６を挿通し、間座５にねじ止めすることによって取り付けを完了する。従って、補助地板２５は、溝２ａ，３ａと孔２５ｂ，２５ｃの小径部、及び溝４ａと挿入端部２５ｄがそれぞれ嵌合し、更にビス２６によってどちらの方向へも移動せず、また、それによってシャッタ地板１との間の間隔を所定の間隔に保つことが可能となる。
【０００８】
そこで、このようにして製作されたシャッタユニットをカメラ本体へ取り付ける場合の一例を図４を用いて説明する。図４に示されているカメラ本体２７には、略中央に開口部２７ａが形成され、左右に二つのフィルム室２７ｂ，２７ｃが設けられている。また、レンズ側の面、即ちシャッタユニットが固定される面には、三つのネジ穴が形成されているが、図４においてはその一つがシャッタユニットの背部に隠れており、二つのネジ穴２７ｄ，２７ｅだけが示されている。そして、シャッタユニットをカメラ本体へ取り付けるには、それらの三つのネジ穴にビス２８，２９，３０を螺合させて固定する。そのうち、ビス２８，２９はシャッタ地板１の孔１ｄ，１ｅに挿入してから螺合させるが、ビス３０はネジ穴２７ｅに直接螺合させ、頭部の一部で張出部１ｃをカメラ本体２７に押しつける。従って、このようにして、シャッタユニットをカメラ本体２７に固定するに当たっては、柱２，３の頭部はともかくとして、ビス２６の頭が大きく、どうしても邪魔になるため、カメラによってはカメラ本体２７に逃げ孔２７ｆを形成せざるを得ない場合がある。
【０００９】
【発明が解決しようとする課題】
ところで、最近ではフォーカルプレンシャッタの低コスト化が進んでおり、これまでに主要部品の可成りのものが合成樹脂化されてきた。しかしながら、シャッタ地板に対して補助地板を取り付ける構成については、なかなか良策がなく、ビスを含む金属部品を合成樹脂化したり、無くしたりするのが困難であった。例えば、上記の従来例において、柱２，３，４とシャッタ地板１とを合成樹脂で一体成形しようとすると、柱２，３，４には環状の溝２ａ，３ａが形成されているために、金型が非常に複雑になり、且つ加工工程も複雑になって、コストメリットが思うように得られなくなってしまう。
【００１０】
また、二つの地板１，２５のうち少なくとも一方を合成樹脂製にして、可撓性のフック部を一体的に形成し、それを他方の地板に形成された係合部に係合させて相互に取り付けを行い、ビス２６を不要にすることも考えられる。しかし、そのような方法で二つの地板１，２５を相互に完全に不動にするのは極めて困難である。もし、両者間が少しでも動く場合には、組立後におけるシャッタの検査が行いにくいばかりでなく、カメラ本体２７に取り付けてもシャッタの作動が適正に得られないことになってしまう。そこで、二つの地板１，２５を取り付けるために、少なくとも一つのビスを使わざるを得なくなってしまう。また、そのようにしてビスを用いると、シャッタユニットをフィルム面に近づけて配置するのが難しくなり、図４に示すような逃げ穴２７ｆを設けるなど、カメラ本体２７とのインターフェイスが問題となってくる。
【００１１】
本発明は、このような問題点を解決するためになされたものであり、その目的とするところは、シャッタユニット製作時に地板と補助地板の取り付けにビスを使用せず、且つカメラ本体に固定された場合には両地板間が不動となるようにした低コスト化に適した簡単な構成のフォーカルプレンシャッタを提供することである。
【００１２】
【課題を解決するための手段】
上記の目的を達成するために、本発明のフォーカルプレンシャッタは、少なくとも一方が合成樹脂製であって両者とも外形が概ね方形をし四つの外縁を有していて略中央部には各々露光用の開口部が形成され両者間に少なくとも先羽根群，中間板，後羽根群を配置して相互に取り付けられる二つの地板を備えていて、合成樹脂製である一方の地板には前記開口部を間にして相対する二つの外縁近傍位置に各々少なくとも一つの可撓性のフック部が形成され、他方の地板には前記フック部と対応する位置に前記フック部と係合する係合部が形成され、前記二つの地板の一方には位置決めピンが設けられ他方には該位置決めピンの嵌合する孔が形成され、前記二つの地板の外縁部近傍には該二つの地板の対応する位置に各々ビスを挿通する孔を有した取付部が形成されていて、前記二つの地板をそれらの地板面に対して垂直な方向へ近づくように移動させて前記フック部と前記係合部を係合させて取り付け、前記係合により重なった前記各取付部の前記孔に前記ビスを挿通しカメラ本体に螺合することによって前記二つの地板が相対的に固定され且つ該二つの地板が該カメラ本体に固定されるようにする。
【００１３】
【発明の実施の形態】
本発明の実施の形態を図１及び図２に示した実施例で説明する。図１は実施例の分解斜視図であり、図２は図１に示したシャッタをカメラ本体へ固定する場合の一例を示す説明図である。尚、先羽根群と後先羽根群の構成をはじめ、上記した従来例の場合と全く同じ形状の部材，部位には同じ符号を付け、その説明を省略する。
【００１４】
本実施例のシャッタ地板３１は合成樹脂製であって、従来例と同様に外形が概ね方形をしており、四つの外縁を有している。図１には図示されていないが、図２に示されているように、その略中央部には、露光用の開口部が形成されている。また、張出部３１ａ，３１ｂにはカメラ本体２７へ取り付けるための孔３１ｄ，３１ｅが形成され、右方の外縁の近傍位置には、アーム８，９，１５，１６に嵌合する四つの軸３１ｆ，３１ｇ，３１ｈ，３１ｉが立設されている。更に、図示していない先羽根用駆動部材のピン２３が貫通する円弧状の孔３１ｊが形成されている。後羽根用駆動部材のピン２４が貫通する円弧状の孔も形成されているが、アーム１５と羽根１７に隠れて見ることができない。
【００１５】
このシャッタ地板３１は、中央より左側の部分に斜面３１ｋが形成され、左側の外縁近傍位置が肉厚になっている。本実施例においては、それによって従来例における後羽根群用の押さえ板を省略できるようにしている。そのため、明示されていない４枚の後羽根群用の羽根は、その肉厚部と中間板３２によって挟まれていることになる。また、この肉厚な外縁近傍位置には二つの円形の孔３１ｍ，３１ｎと、方形の切欠き孔の一辺に係合部３１ｐ，３１ｑが形成されている。そして、その係合部３１ｐ，３１ｑには、図１の上側に傾斜面が形成されている。更に、右側の外縁位置には方形に切り欠いた孔の一辺に係合部３１ｒ，３１ｓが形成され、右下隅には円形の孔３１ｔが形成されている。このうち、係合部３１ｒ，３１ｓにも、係合部３１ｐ，３１ｑと同様に傾斜面が形成されている。また、本実施例の中間板３２には、右側の両隅に二つの孔が形成されており、シャッタ地板３１に立設された軸３１ｕ，３１ｖに嵌合している。そして、それらの軸３１ｕ，３１ｖは、孔に嵌合している基部が太くなっていて、シャッタ地板３１と補助地板３３との間座の役目をするようになっている。
【００１６】
補助地板３３も合成樹脂製であって、外形はシャッタ地板３１と概ね同じであり、露光用の開口部３３ａを有している。この補助地板３３には円形をした６個の孔が形成されているが、これらのうち、孔３３ｂ，３３ｃはシャッタ地板３１の軸３１ｕ，３１ｖの細い部分に嵌合させ、孔３３ｄ，３３ｅはシャッタ地板３１の軸３１ｇ，３１ｉに嵌合させるためのものである。また、張出部３３ｆ，３３ｇの折り曲げられた先端部に形成されている孔３３ｈ，３３ｉは、シャッタ地板３１の孔３１ｄ，３１ｅと対応する位置に形成されている。この補助地板３３にも斜面３３ｊが形成されていて、それより左側の部分が左側の外縁に沿って肉厚に形成されている。そのため、従来例における先羽根群用の押さえ板７を省略でき、先羽根群用の羽根１０，１１，１２，１３の先端部は、その肉厚部と中間板３２によって挟まれることになる。
【００１７】
更に、この肉厚部の外縁近傍位置には可撓性を有する二つのフック部３３ｋ，３３ｍと、軸３３ｎ，３３ｐが夫々一体的に形成されている。このうち、フック部３３ｋ，３３ｍは、先端の下側に傾斜面が形成されている。また、軸３３ｎ，３３ｐは、シャッタ地板３１の軸３１ｕ，３１ｖと同じように、直径の大きい間座部と、直径の小さい軸部とを同心上に形成している。また、この補助地板３３の右側の外縁近傍位置にも、それらと同じ形状をした可撓性を有する二つのフック部３３ｑ，３３ｒと、軸３３ｓが夫々一体的に形成されているが、このうちフック部３３ｑ，３３ｒは上記のフック部３３ｋ，３３ｍと９０°角度を変えて形成されている。
【００１８】
本実施例において補助地板３３をシャッタ地板３１に取り付けるためには、先ず、図１において補助地板３３をそのまま下方へ移動させ、軸３３ｎ，３３ｐ，３３ｓの小径部を孔３１ｍ，３１ｎ，３１ｔに挿入するようにする。そうすると、フック部３３ｋ，３３ｍ，３３ｑ，３３ｒに形成されている傾斜面が、係合部３１ｐ，３１ｑ，３１ｒ，３１ｓに形成された傾斜面に押され、フック部３３ｋ，３３ｍ，３３ｑ，３３ｒが撓まされていく。そして、軸３３ｎ，３３ｐ，３３ｓの大径部、即ち間座部がシャッタ地板３１に接する直前になると、上記傾斜面による摺接関係が解かれ、フック部３３ｋ，３３ｍ，３３ｑ，３３ｒは原形状態に復帰し、シャッタ地板３１と補助地板３３とは、相互に取り付けられた状態となる。
【００１９】
周知のように、このようにしてシャッタ地板３１と補助地板３３とを取り付けた場合には、フック部３３ｋ，３３ｍ，３３ｑ，３３ｒの先端が、円弧状の軌跡を描いて作動するため、何らかの特別な配慮をしない限り、公差等の関係があってシャッタ地板３１と補助地板３３との間には微細な間隙が生じてしまい、両者を完全に固定された関係に取り付けることが困難である。そのため、シャッタユニットとしての検査を行うためには、シャッタ地板３１だけではなく補助地板３３も固定状態にして行わなくてはならないが、その場合における両地板３１，３３の位置合わせが非常に面倒となり、また、その後、従来のようにシャッタ地板３１の取付部をカメラ本体に固定した場合には、補助地板３３は固定状態にないから、シャッタの適正な作動が安定して得られなくなる。そのため、従来は、このような組立方をした場合にも、最小限一つのビスを用いて両地板３１，３３を固定していた。
【００２０】
ところが、本実施例においては、両地板３１，３３をビスで固定することなく、シャッタユニットとしての検査を容易に行うことが可能になっている。即ち、本実施例においては、補助地板３３に形成されている孔３３ｈ，３３ｉが、設計上、シャッタ地板３１の孔３１ｄ，３１ｅと対応する位置に形成されているので、両地板３１，３３間で、それらの孔位置だけを合わせればよいことになる。また、シャッタユニットをカメラ本体２７に固定するに当たっては、それらの孔位置を揃え、図２に示すようにしてビス２８，２９によって取り付ければ、両地板３１，３３ともカメラ本体２７に完全な固定状態となり、シャッタユニットとして検査したときと同じ条件で取り付けられたことになり、且つシャッタの適正な作動が安定して得られるようになる。更に、本実施例においては、両地板３１，３３間の取り付けにビスを用いていないから、図４に示すような逃げ穴２７ｆをカメラ本体２７に形成する必要がなく、また、それだけシャッタユニットをフィルム面に近づけて配置することが可能になる。
【００２１】
尚、上記の実施例においては、シャッタ地板３１と補助地板３３との平行方向への位置合わせを正確に行うためと、カメラ本体２７への固定を行うことができるようにするために、二対の孔を設けているが、このような二つの機能を有する孔は最小限一対設けるだけでよく、他の機能は、夫々別の手段で行うようにしても構わない。即ち、その場合、平行方向への位置合わせを正確に行う手段の一例としては、実施例における軸３３ｓと孔３１ｔの嵌合関係を用いることが考えられるし、また、カメラ本体２７への固定手段の一例としては、ビス３０による張出部３１ｃの固定方法が考えられる。
【００２２】
更に、上記の実施例においては、係合部３１ｐ，３１ｑ，３１ｒ，３１ｓをシャッタ地板３１に、それらに対応させるフック部３３ｋ，３３ｍ，３３ｑ，３３ｒを補助地板３３に形成しているが、係合部を補助地板３３に、フック部をシャッタ地板３１に形成するようにしてもよい。しかも、それらを実施例のように複数個設ける場合には、一つのフック部をシャッタ地板３１に、他のフック部を補助地板３３に、というように、交互に形成するようにしても差し支えない。また、上記の実施例においては、両地板３１，３３が、共に合成樹脂製の場合で説明したが、例えば上記の実施例において、シャッタ地板３１を金属材料で製作しても構わない。
【００２３】
【発明の効果】
上記のように、本発明の構成によれば、シャッタ地板と補助地板の取り付けにビスを使用しなくて済み、且つカメラ本体に対しては両地板間が動き得ないようにして所定の関係を保たせて固定できるので、フォーカルプレンシャッタの低コスト化に極めて有効である。
【図面の簡単な説明】
【図１】本発明の実施例の分解斜視図である。
【図２】実施例のシャッタをカメラ本体へ固定する場合の一例を示す説明図である。
【図３】従来例の分解斜視図である。
【図４】従来例のシャッタをカメラ本体へ固定する場合の一例を示す説明図である。
【符号の説明】
１，３１                      シャッタ地板
１ａ，１ｂ，１ｃ，３１ａ，３１ｂ，３１ｃ，３３ｆ，３３ｇ  張出部
１ｄ，１ｅ，１ｊ，２５ｂ，２５ｃ，２５ｅ，２５ｈ，２５ｉ，３１ｄ，３１ｅ，３１ｊ，３１ｍ，３１ｎ，３１ｔ，３３ｂ，３３ｃ，３３ｄ，３３ｅ，３３ｈ，３３ｉ  孔
１ｆ，１ｇ，１ｈ，１ｉ，３１ｆ，３１ｇ，３１ｈ，３１ｉ，３１ｕ，３１ｖ，３３ｎ，３３ｐ，３３ｓ  軸
２，３，４                    柱
２ａ，３ａ，４ａ              溝
５                            間座
６，３２                      中間板
７                            押さえ板
８，９，１５，１６            アーム
８ａ，１５ａ                  長孔
１０，１１，１２，１３，１７，１８，１９，２０  羽根
１４，２１                    円筒部材
２２                          シャッタ開閉機構
２３，２４                    ピン
２５，３３                    補助地板
２５ａ，２７ａ，３３ａ        開口部
２５ｄ                        挿入端部
２５ｆ，２５ｇ                切欠き孔
２６，２８，２９，３０        ビス
２７                          カメラ本体
２７ｂ，２７ｃ                フィルム室
２７ｄ，２７ｅ                ネジ穴
２７ｆ                        逃げ穴
３１ｋ，３３ｊ                斜面
３１ｐ，３１ｑ，３１ｒ，３１ｓ  係合部
３３ｋ，３３ｍ，３３ｑ，３３ｒ  フック部
【図１】
0003846950.tif 000002
【図２】
0003846950.tif 000003
【図３】
0003846950.tif 000004
【図４】
0003846950.tif 000005